(57)【要約】      （修正有）【課題】シーリング材を有さず、建築板同士の接合部分が目立たない壁面施工構造を提供する。【解決手段】ハットジョイナーＡ１と、建築板Ｂ１とから該壁面施工構造を構成する。ハットジョイナーは、固定板部ａ１３、意匠部ａ１１とからなり、建築板は、表面に、直線状に延びた目地意匠を有する。そして、ハットジョイナーの意匠部の左右又は上下に、複数の建築板が配されることにより、ハットジョイナーの意匠部を意匠面とした目地と、建築板の目地意匠ｂ１１を意匠面とした目地とが、同一方向に形成されている。ハットジョイナーの意匠部を意匠面とした目地の幅は、建築板の表面の目地意匠の幅と同じである、又は、ハットジョイナーの意匠部の色は、建築板の目地意匠の色と同じである。【選択図】図１
0003166237.tif 000002
【実用新案登録請求の範囲】
【請求項１】
ハットジョイナーと、建築板とからなる壁面施工構造であって、
ハットジョイナーは、固定板部と、意匠部とからなり、
建築板は、表面に、直線状に延びた目地意匠を有し、
ハットジョイナーの意匠部の左右又は上下に、複数の建築板が配されることにより、ハットジョイナーの意匠部を意匠面とした目地と、建築板の目地意匠を意匠面とした目地とが、同一方向に形成されており、
ハットジョイナーの意匠部による目地の幅は、建築板の表面の目地意匠の幅と同じである
ことを特徴とする壁面施工構造。
【請求項２】
ハットジョイナーと、建築板とからなる壁面施工構造であって、
ハットジョイナーは、固定板部と、意匠部とからなり、
建築板は、表面に、直線状に延びた目地意匠を有し、
ハットジョイナーの意匠部の色は、建築板の目地意匠の色と同じであり、
ハットジョイナーの意匠部の左右又は上下に、複数の建築板が配されることにより、ハットジョイナーの意匠部を意匠面とした目地と、建築板の目地意匠を意匠面とした目地とが、同一方向に形成されている
ことを特徴とする壁面施工構造。
【請求項３】
ハットジョイナーの意匠部の頂部は、隣接している建築板の表面よりも高く配されている
ことを特徴とする請求項１又は２に記載の壁面施工構造。
【請求項４】
ハットジョイナーの意匠部の頂部は、隣接している建築板の表面よりも低く配されている
ことを特徴とする請求項１又は２に記載の壁面施工構造。
【請求項５】
ハットジョイナーの意匠部の頂部は、隣接している建築板の表面と同じ高さに揃えてある
ことを特徴とする請求項１又は２に記載の壁面施工構造。
【請求項６】
建築板の目地意匠は、塗装により形成されている
ことを特徴とする請求項１又は２に記載の壁面施工構造。
【請求項７】
建築板の目地意匠は、凹凸により形成されている
ことを特徴とする請求項１又は２に記載の壁面施工構造。
【請求項８】
建築板とハットジョイナーの意匠部とからなる目地において、該建築板の表面端部は面取りされている
ことを特徴とする請求項１又は２に記載の壁面施工構造。
【請求項９】
建築板とハットジョイナーの意匠部とからなる目地において、該建築板の表面端部は面取りされており、
建築板の目地意匠には、該建築板の表面端部の面取りと同様の形状が、該面取りと同一方向に設けてある
ことを特徴とする請求項１又は２に記載の壁面施工構造。
【考案の詳細な説明】
【技術分野】
【０００１】
本考案は、建築物の外壁、内壁を構成する壁面施工構造に関するものである。
【背景技術】
【０００２】
従来から、建築物の構造躯体に複数の建築板を施工して、建築物の外壁、内壁を構成することが行われている。そして、建築板同士の接合には、建築板寸法の経年変化、及び防水を目的として、シーリング材を配設することが行われている。
【０００３】
例えば、特許文献１には、凸条を有するハットジョイナーを隣接する外装材の端面間に配設し、凸条の前面と外装材の端面との間に形成された部分にシーリング材を打設して目地を形成することが開示されている。
【０００４】
しかし、シーリング材を打設して形成された目地は、目立ちやすいという問題がある。また、シーリングは経年劣化により、耐久性、防水性等の性能が劣化するという問題もある。更に、経年により変色し、外観が悪化するため、劣化したシーリング材を補修、更新しなければならない。
【０００５】
そこで、特許文献２には、防水材が取り付けられたジョイナーの上に、外壁パネル同士を、端部を突き合わせて配設した縦目地構造が開示されている。
【０００６】
特許文献２の構造によれば、シーリング材の必要が無いので、シーリング材を打設して形成された目地が目立つという問題は発生せず、シーリングの経年劣化による補修、更新の必要は無くなる。しかし、外壁パネルを、別の外壁パネルと突き合わせた際に隙間ができないよう精度良く製造することは難しく、外壁パネル同士の接合部分が目立ちやすい。また、外壁パネルの寸法は経年により変化するので、外壁パネル同士の接合部分に隙間が発生したり、わずかな隙間が大きくなる等の問題が発生する。
【先行技術文献】
【特許文献】
【０００７】
【特許文献１】特開２００３−３４３０２４号公報
【特許文献２】特開２００３−３２８５２９号公報
【考案の概要】
【考案が解決しようとする課題】
【０００８】
本考案は、シーリング材を有さず、建築板同士の接合部分が目立たない壁面施工構造を提供するものである。
【課題を解決するための手段】
【０００９】
本考案は、壁面施工構造を提供する。
本考案の壁面施工構造は、ハットジョイナーと、建築板とからなる。ハットジョイナーは、固定板部と、意匠部とからなり、建築板は、表面に、直線状に延びた目地意匠を有する。そして、ハットジョイナーの意匠部の左右又は上下に、複数の建築板が配されることにより、ハットジョイナーの意匠部を意匠面とした目地と、建築板の目地意匠を意匠面とした目地とが、同一方向に形成されている。本考案では、ハットジョイナーの意匠部を意匠面とした目地の幅は、建築板の表面の目地意匠の幅と同じである、又は、ハットジョイナーの意匠部の色は、建築板の目地意匠の色と同じであるため、ハットジョイナーの意匠部を意匠面とした目地は、建築板の表面の目地意匠と区分けがつけにくく、目立たない。また、シーリング材を有さないので、シーリング材の経年劣化という問題は発生せず、それによる補修、更新の必要も無くなる。また、建築板同士は間隔をあけて配設されているので、建築板による寸法変化が起きたとしても目立ちにくく、問題とならない。
本考案の壁面施工構造において、ハットジョイナーの意匠部の頂部は、隣接している建築板の表面と同じ高さに揃えられていても良いが、隣接している建築板の表面よりも高く配されていても良い。ハットジョイナーの意匠部の頂部が隣接している建築板の表面よりも高く配されていると、建築板による不陸が目立たなくなるので、好ましい。すなわち、ハットジョイナーを介して隣接する建築板の板厚が異なっていたとしても、ハットジョイナーの意匠部の頂部が高く配されていることにより、建築板同士の間で発生している不陸は目立たなくなる。
または、ハットジョイナーの意匠部の頂部が、隣接している建築板の表面よりも低く配されていても良い。この場合にも、建築板同士で発生する不陸は目立ちにくくなる。
なお、建築板の目地意匠は、塗装により形成されていても良いし、凹凸により形成されていても良い。または、それらの組み合わせでも良い。
更に、建築板とハットジョイナーの意匠部とからなる目地において、該建築板の表面端部は面取りされていても良い。その場合には、建築板の目地意匠には、該建築板の表面端部の面取りと同様の形状が、該面取りと同一方向に設けてあると、ハットジョイナーの意匠部を意匠面とした目地は、建築板の表面の目地意匠と区分けがつけにくく、目立たないので好ましい。
【考案の効果】
【００１０】
本考案によれば、シーリング材を有さず、建築板同士の接合部分が目立たない壁面施工構造を提供することができる。
【図面の簡単な説明】
【００１１】
【図１】図１は、本考案にかかる壁面施工構造の一実施例を上から見た図である。
【図２】図２は、図１に示す壁面施工構造を正面から見た図である。
【図３】図３は、図１、２に示す壁面施工構造のハットジョイナーの斜視図である。
【図４】図４は、本考案にかかる壁面施工構造の他の実施例を上から見た図である。
【図５】図５は、本考案にかかる壁面施工構造の更に他の実施例を上から見た図である。
【図６】図６は、本考案にかかる壁面施工構造の更に他の実施例を上から見た図である。
【図７】図７は、図６に示す壁面施工構造を正面から見た図である。
【図８】図８は、本考案にかかる壁面施工構造の更に他の実施例を上から見た図である。
【図９】図９は、本考案にかかる壁面施工構造の更に他の実施例を上から見た図である。
【図１０】図１０は、本考案にかかる壁面施工構造の更に他の実施例を上から見た図である。
【図１１】図１１は、本考案にかかる壁面施工構造の更に他の実施例を上から見た図である。
【考案を実施するための形態】
【００１２】
以下、図面を参照しながら本考案について詳細に説明する。
【００１３】
図１、２は、本考案にかかる壁面施工構造の一実施例を上から見た図と正面から見た図であり、図３は、図１、２に示す壁面施工構造のハットジョイナーの斜視図である。
図１、２に示す壁面施工構造は、ハットジョイナーＡ１と建築板Ｂ１とからなる。
ハットジョイナーＡ１は、意匠部ａ１１と、連結部ａ１２と、固定板部ａ１３とからなり、図３に示すように、縦長形状の部材である。意匠部ａ１１は、ハットジョイナーＡ１で一番前方に突出した部分であり、意匠部ａ１１の左右両端から後方に向かって連結部ａ１２、ａ１２が延びており、それぞれの連結部ａ１２、ａ１２から、固定板部ａ１３、ａ１３が、右又は左に向かって水平に延びている。一方、建築板Ｂ１は、表面に、目地意匠として複数の塗膜ｂ１１が、板を上下に縦断するように設けられている。なお、塗膜ｂ１１の横幅は、ハットジョイナーＡ１の意匠部ａ１１の横幅と同じであり、色もハットジョイナーＡ１の意匠部ａ１１と同じである。
図１、２に示す壁面施工構造では、構造躯体（図示せず）の表面に固定板部ａ１３の裏面を当接した状態で固定されたハットジョイナーＡ１の左右に、２枚の建築板Ｂ１、Ｂ１が固定されている。なお、２枚の建築板Ｂ１、Ｂ１は、裏面側に通気層を設けるため、ハットジョイナーＡ１の固定板部ａ１３、ａ１３よりも数ミリ離して固定されている。該壁面施工構造を正面から見ると、図２に示すように、建築板Ｂ１の塗膜ｂ１１による目地模様と、ハットジョイナーＡ１の意匠部ａ１１による目地が形成されるのだが、塗膜ｂ１１の横幅、色は、ハットジョイナーＡ１の意匠部ａ１１の横幅、色と同じであり、かつ、意匠部ａ１１と平行に形成されているので、互いの目地の区分けはつきにくく、建築板Ｂ１、Ｂ１同士の接合部分が目立たない。また、建築板Ｂ１、Ｂ１同士の接合部分にはシーリング材を有さないので、シーリング材の経年劣化という問題は発生せず、それによる補修、更新の必要も無くなる。なお、ハットジョイナーＡ１の意匠部ａ１１と、建築板Ｂ１、Ｂ１の表面の高さは同じとされているので、より建築板Ｂ１、Ｂ１同士の接合部分が目立ちにくい。
【００１４】
図４は、本考案にかかる壁面施工構造の他の実施例を上から見た図である。
図４に示す壁面施工構造は、ハットジョイナーＡ２と建築板Ｂ２とからなる。ハットジョイナーＡ２は、図３のハットジョイナーＡ１と同じであり、意匠部ａ２１と、連結部ａ２２と、固定板部ａ２３とからなる。また、建築板Ｂ２も、図１、２の建築板Ｂ１と同じであり、表面に、目地意匠として複数の塗膜ｂ２１を有する。しかし、図４に示す壁面施工構造は、ハットジョイナーＡ２と建築板Ｂ２の表面の位置が、図１、２に示す壁面施工構とは異なる。図４に示す壁面施工構造では、ハットジョイナーＡ２の意匠部ａ２１の位置は、建築板Ｂ２、Ｂ２の表面よりも低く配されている。しかし、該壁面施工構造においても、塗膜ｂ２１の横幅、色は、ハットジョイナーＡ２の意匠部ａ２１の横幅、色と同じであり、かつ、意匠部ａ２１と平行に形成されているので、互いの目地の区分けはつきにくく、建築板Ｂ２、Ｂ２同士の接合部分が目立たない。また、建築板Ｂ２、Ｂ２同士の接合部分にはシーリング材を有さないので、シーリング材の経年劣化という問題は発生せず、それによる補修、更新の必要も無くなる。更に、ハットジョイナーＡ２の意匠部ａ２１の位置は、建築板Ｂ２、Ｂ２の表面よりも低く配されているので、建築板Ｂ２、Ｂ２の間で不陸が発生しても目立たなくなる。
【００１５】
図５は、本考案にかかる壁面施工構造の更に他の実施例を上から見た図である。
図５に示す壁面施工構造は、ハットジョイナーＡ３と建築板Ｂ３とからなる。ハットジョイナーＡ３は、図３のハットジョイナーＡ１と同じであり、意匠部ａ３１と、連結部ａ３２と、固定板部ａ３３とからなる。しかし、建築板Ｂ３は、目地意匠が凹部ｂ３１により形成されていることが図１、２の建築板Ｂ１と異なる。凹部ｂ３１は、建築板Ｂ３の表面に、板を上下に縦断するように、複数設けられており、凹部ｂ３１の横幅は、ハットジョイナーＡ３の意匠部ａ３１の横幅と同じである。また、図５に示す壁面施工構造では、ハットジョイナーＡ３と建築板Ｂ３の表面の位置が、図１、２に示す壁面施工構造と異なる。図５に示す壁面施工構造では、ハットジョイナーＡ３の意匠部ａ３１の表面の高さは、建築板Ｂ３、Ｂ３の凹部ｂ３１の表面の高さと同じとされている。そのため、図５に示す壁面施工構造でも、建築板Ｂ３、Ｂ３同士の接合部分が目立ちにくい。また、該壁面施工構造においても、凹部ｂ３１の横幅は、ハットジョイナーＡ３の意匠部ａ３１の横幅と同じなので、互いの目地の区分けはつきにくく、建築板Ｂ３、Ｂ３同士の接合部分が目立たない。更に、建築板Ｂ３、Ｂ３同士の接合部分にはシーリング材を有さないので、シーリング材の経年劣化という問題は発生せず、それによる補修、更新の必要も無くなる。
【００１６】
図６、７は、本考案にかかる壁面施工構造の更に他の実施例を上から見た図と正面から見た図である。
図６、７に示す壁面施工構造は、ハットジョイナーＡ４と建築板Ｂ４とからなる。ハットジョイナーＡ４は、図３のハットジョイナーＡ１と同じであり、意匠部ａ４１と、連結部ａ４２と、固定板部ａ４３とからなる。しかし、建築板Ｂ４は、目地意匠が凹部ｂ４１と、傾斜部ｂ４２、ｂ４３とにより形成されていることが図１、２の建築板Ｂ１と異なる。凹部ｂ４１と、傾斜部ｂ４２、ｂ４３は、建築板Ｂ４の表面に、板を上下に縦断するように、複数設けられており、凹部ｂ４１の横幅、色は、ハットジョイナーＡ４の意匠部ａ４１の横幅、色と同じである。また、建築板Ｂ４の表面の左端部、左端部には、面取り部ｂ４４、ｂ４５が、板を上下に縦断するように設けられている。なお、傾斜部ｂ４２、ｂ４３の横幅、色は、面取り部ｂ４４、ｂ４５の横幅、色と同じである。また、図６、７に示す壁面施工構造は、ハットジョイナーＡ４と建築板Ｂ４の表面の位置が、図１、２に示す壁面施工構造と異なる。図６、７に示す壁面施工構造では、ハットジョイナーＡ４の意匠部ａ４１の表面の高さは、建築板Ｂ４、Ｂ４の凹部ｂ４１の表面の高さと同じとされている。そのため、該壁面施工構造でも、建築板Ｂ４、Ｂ４同士の接合部分が目立ちにくい。また、該壁面施工構造においても、凹部ｂ４１の横幅は、ハットジョイナーＡ４の意匠部ａ４１の横幅と同じであり、傾斜部ｂ４２、ｂ４３の横幅、色は、面取り部ｂ４４、ｂ４５の横幅、色と同じであるので、互いの目地の区分けはつきにくく、建築板Ｂ４、Ｂ４同士の接合部分が目立たない。更に、建築板Ｂ４、Ｂ４同士の接合部分にはシーリング材を有さないので、シーリング材の経年劣化という問題は発生せず、それによる補修、更新の必要も無くなる。更に、建築板Ｂ１の表面の左端部、左端部には、面取り部ｂ４４、ｂ４５が設けてあるので、破損しにくい。
【００１７】
図８は、本考案にかかる壁面施工構造の更に他の実施例を上から見た図である。
図８に示す壁面施工構造は、ハットジョイナーＡ５と建築板Ｂ５とからなる。ハットジョイナーＡ５は、図３のハットジョイナーＡ１と同じであり、意匠部ａ５１と、連結部ａ５２と、固定板部ａ５３とからなる。また、建築板Ｂ５も、図１、２の建築板Ｂ１と同じであり、表面に、目地意匠として複数の塗膜ｂ５１を有する。しかし、図８に示す壁面施工構造は、ハットジョイナーＡ５と建築板Ｂ５の表面の位置が、図１、２に示す壁面施工構とは異なる。図８に示す壁面施工構造では、ハットジョイナーＡ５の意匠部ａ５１の位置は、建築板Ｂ５、Ｂ５の表面よりも高く配されている。しかし、該壁面施工構造においても、塗膜ｂ５１の横幅、色は、ハットジョイナーＡ５の意匠部ａ５１の横幅、色と同じであり、かつ、意匠部ａ５１と平行に形成されているので、互いの目地の区分けはつきにくく、建築板Ｂ５、Ｂ５同士の接合部分が目立たない。また、建築板Ｂ５、Ｂ５同士の接合部分にはシーリング材を有さないので、シーリング材の経年劣化という問題は発生せず、それによる補修、更新の必要も無くなる。更に、ハットジョイナーＡ５の意匠部ａ５１の位置は、建築板Ｂ５、Ｂ５の表面よりも高く配されているので、建築板Ｂ５、Ｂ５の間で不陸が発生しても目立たなくなる。
【００１８】
図９は、本考案にかかる壁面施工構造の更に他の実施例を上から見た図である。
図９に示す壁面施工構造は、ハットジョイナーＡ６と建築板Ｂ６とからなる。ハットジョイナーＡ６は、図３のハットジョイナーＡ１と同じであり、意匠部ａ６１と、連結部ａ６２と、固定板部ａ６３とからなる。しかし、建築板Ｂ６は、目地意匠が凸部ｂ６１により形成されていることが図１、２の建築板Ｂ１と異なる。凸部ｂ６１は、建築板Ｂ６の表面に、板を上下に縦断するように、複数設けられており、凸部ｂ６１の横幅は、ハットジョイナーＡ６の意匠部ａ６１の横幅と同じであり、凸部ｂ６１の表面には、意匠部ａ６１と同じ色の塗装が施されている。また、図９に示す壁面施工構造では、ハットジョイナーＡ６と建築板Ｂ６の表面の位置が、図１、２に示す壁面施工構造と異なる。図９に示す壁面施工構造では、ハットジョイナーＡ６の意匠部ａ６１の表面の高さは、建築板Ｂ６、Ｂ６の凸部ｂ６１の表面の高さと同じとされている。そのため、図９に示す壁面施工構造でも、建築板Ｂ６、Ｂ６同士の接合部分が目立ちにくい。また、該壁面施工構造においても、凸部ｂ６１の横幅、色は、ハットジョイナーＡ６の意匠部ａ６１の横幅、色と同じなので、互いの目地の区分けはつきにくく、建築板Ｂ６、Ｂ６同士の接合部分が目立たない。また、建築板Ｂ６、Ｂ６同士の接合部分にはシーリング材を有さないので、シーリング材の経年劣化という問題は発生せず、それによる補修、更新の必要も無くなる。
【００１９】
図１０は、本考案にかかる壁面施工構造の更に他の実施例を上から見た図である。
図１０に示す壁面施工構造は、ハットジョイナーＡ７と建築板Ｂ７とからなる。ハットジョイナーＡ７は、意匠部ａ７１と、連結部ａ７２と、固定板部ａ７３とからなり、意匠部ａ７１が断面円弧状に形成されていることが、図３のハットジョイナーＡ１と異なる。また、建築板Ｂ７は、目地意匠が凸部ｂ７１により形成されていることが図１、２の建築板Ｂ１と異なる。凸部ｂ７１は、建築板Ｂ７の表面に、板を上下に縦断するように、複数設けられており、凸部ｂ７１の横幅は、ハットジョイナーＡ７の意匠部ａ７１の横幅と同じである。また、図１０に示す壁面施工構造では、ハットジョイナーＡ７と建築板Ｂ７の表面の位置が、図１、２に示す壁面施工構造と異なる。図１０に示す壁面施工構造では、ハットジョイナーＡ７の意匠部ａ７１の表面の頂部の高さは、建築板Ｂ７、Ｂ７の凸部ｂ７１の頂部の高さと同じとされている。そのため、図１０に示す壁面施工構造でも、建築板Ｂ７、Ｂ７同士の接合部分が目立ちにくい。また、該壁面施工構造においても、凸部ｂ７１の横幅は、ハットジョイナーＡ７の意匠部ａ７１の横幅と同じなので、互いの目地の区分けはつきにくく、建築板Ｂ７、Ｂ７同士の接合部分が目立たない。更に、建築板Ｂ７、Ｂ７同士の接合部分にはシーリング材を有さないので、シーリング材の経年劣化という問題は発生せず、それによる補修、更新の必要も無くなる。
【００２０】
図１１は、本考案にかかる壁面施工構造の更に他の実施例を上から見た図である。
図１１に示す壁面施工構造は、ハットジョイナーＡ８と建築板Ｂ８とからなる。ハットジョイナーＡ８は、意匠部ａ８１と、連結部ａ８２と、固定板部ａ８３とからなり、意匠部ａ８１は左右端部に傾斜部を有することが、図３のハットジョイナーＡ１と異なる。また、建築板Ｂ８は、目地意匠が凸部ｂ８１により形成されていることが図１、２の建築板Ｂ１と異なる。凸部ｂ８１は、建築板Ｂ８の表面に、板を上下に縦断するように、複数設けられており、凸部ｂ８１の横幅は、ハットジョイナーＡ８の意匠部ａ８１の横幅と同じである。また、凸部ｂ８１は、意匠部ａ８１と同じように、左右端部に傾斜部を有する。更に、図１１に示す壁面施工構造では、ハットジョイナーＡ８と建築板Ｂ８の表面の位置が、図１、２に示す壁面施工構造と異なる。図１１に示す壁面施工構造では、ハットジョイナーＡ８の意匠部ａ８１の表面の頂部の高さは、建築板Ｂ８、Ｂ８の凸部ｂ８１の頂部の高さと同じとされている。そのため、図１１に示す壁面施工構造でも、建築板Ｂ８、Ｂ８同士の接合部分が目立ちにくい。また、該壁面施工構造においても、凸部ｂ８１の横幅は、ハットジョイナーＡ８の意匠部ａ８１の横幅と同じなので、互いの目地の区分けはつきにくく、建築板Ｂ８、Ｂ８同士の接合部分が目立たない。また、建築板Ｂ８、Ｂ８同士の接合部分にはシーリング材を有さないので、シーリング材の経年劣化という問題は発生せず、それによる補修、更新の必要も無くなる。
【００２１】
以上に本考案の実施形態について説明したが、本考案はこれに限定されず、実用新案登録請求の範囲に記載の考案の範囲において種々の変形態を取り得る。例えば、図１〜１１では、ハットジョイナーの意匠部による目地と建築板の表面の目地意匠を全て縦目地としているが、横目地となるよう設けることも可能である。
【産業上の利用可能性】
【００２２】
以上説明したように、本考案によれば、シーリング材を有さず、建築板同士の接合部分が目立たない壁面施工構造を提供することができる。
【符号の説明】
【００２３】
Ａ１〜Ａ８        ハットジョイナー
Ｂ１〜Ｂ８        建築板
ａ１１〜ａ８１    意匠部
ａ１２〜ａ８２    連結部
ａ１３〜ａ８３    固定板部
ｂ１１〜ｂ８１    目地意匠
ｂ４４、ｂ４５    面取り部
【図１】
0003166237.tif 000003
【図２】
0003166237.tif 000004
【図３】
0003166237.tif 000005
【図４】
0003166237.tif 000006
【図５】
0003166237.tif 000007
【図６】
0003166237.tif 000008
【図７】
0003166237.tif 000009
【図８】
0003166237.tif 000010
【図９】
0003166237.tif 000011
【図１０】
0003166237.tif 000012
【図１１】
0003166237.tif 000013